(57)【要約】【課題】  従来よりも狭いスペースに設置することが出来ると共に、カメラをケーブルによって接続する作業を行なうことなく監視システムを構築することが出来、然も、映像データの提出が求められた際、面倒な作業やコピー処理を行なうことなく該映像データを提出することが可能な監視映像記録装置１を提供する。【解決手段】  本発明に係る監視映像記録装置１は、装置本体に配備されたカメラ11、リムーバブルＨＤＤ装置14の脱着が可能なインターフェース10、及びＣＰＵ13を具えている。ＣＰＵ13は、カメラ11によって撮影された映像を、前記インターフェース10に取り付けられたリムーバブルＨＤＤ装置14に記録する。【選択図】      図１
2005086404.tif 000002
【特許請求の範囲】
【請求項１】
監視エリアの映像を記録する監視映像記録装置において、
装置本体に配備された撮影装置と、
記録媒体、或いは記録媒体を内蔵する外部記録装置の脱着が可能なインターフェースと、
撮影装置によって撮影された映像を、前記インターフェースに取り付けられた記録媒体、或いは前記インターフェースに取り付けられた外部記録装置が内蔵する記録媒体に記録する情報処理回路
とを具えていることを特徴とする監視映像記録装置。
【請求項２】
撮影装置の撮影方向を変化させる際に操作すべき情報入力装置を接続することが可能であって、撮影装置は、撮影装置本体の撮影方向を変化させる駆動回路を具え、前記情報処理回路は、接続された情報入力装置に対するユーザ操作に応じて、前記駆動回路の動作を制御する請求項１に記載の監視映像記録装置。
【請求項３】
前記情報処理回路は、監視エリア内で異常事態が発生したか否かを判断し、異常事態が発生したと判断したときに限って、撮影装置によって撮影された映像を前記記録媒体に記録する請求項１又は請求項２に記載の監視映像記録装置。
【請求項４】
前記情報処理回路は、撮影装置によって撮影された最新の映像を前記記録媒体に記録する動作を繰り返す請求項１又は請求項２に記載の監視映像記録装置。
【請求項５】
前記記録媒体には、撮影装置によって撮影された最新の映像を記録するための第１記録領域と、監視エリア内で異常事態が発生したときに撮影装置によって撮影された映像を記録するための第２記録領域とが設けられており、前記情報処理回路は、
撮影装置によって撮影された最新の映像を第１記録領域に記録する動作を繰り返す手段と、
監視エリア内で異常事態が発生したか否かを判断する手段と、
異常事態が発生したと判断されたときに、撮影装置によって撮影された映像を第２記録領域に記録する手段
とを具えている請求項４に記載の監視映像記録装置。
【請求項６】
第２の記録媒体を内蔵しており、前記情報処理回路は、撮影装置によって撮影された最新の映像を第２記録媒体に記録する動作を繰り返す請求項１乃至請求項５の何れかに記載の監視映像記録装置。
【発明の詳細な説明】
【技術分野】
【０００１】
本発明は、監視エリアの映像を記録する監視映像記録装置に関するものである。
【背景技術】
【０００２】
従来、図４に示す如き監視システムが知られている。該監視システムは、ハードディスクデジタルレコーダ(５)に、監視カメラ(６)と、該カメラ(６)によって撮影された映像を表示するためのモニター装置(２)とを接続して構成されており、ハードディスクデジタルレコーダ(５)は、映像信号処理回路(51)と、内蔵型のＨＤＤ装置(52)と、映像信号処理回路(51)及び内蔵型ＨＤＤ装置(52)の動作を制御するＣＰＵ(53)とを具えている。上述の監視カメラ(６)及びモニター装置(２)は、映像信号処理回路(51)に接続されている。
【０００３】
監視カメラ(６)から得られた撮影信号は、ハードディスクデジタルレコーダ(５)の映像信号処理回路(51)に供給されて、モニター表示に必要な信号処理が施され、これによって得られた映像信号はモニター装置(２)に供給される。この結果、監視カメラ(６)によって撮影された映像がリアルタイムでモニター装置(２)に表示されることになる。
【０００４】
又、映像信号処理回路(51)では、上述の如く監視カメラ(６)から供給された撮影信号に対して、ＨＤへの記録に必要な信号処理が施され、これによって得られたデジタル映像データは、内蔵型ＨＤＤ装置(52)に供給されて記録される。このとき、内蔵型ＨＤＤ装置(52)が満杯である場合には、最も古い映像データが消去されて、新しい映像データが記録される。この様にして、最新の映像データを内蔵型ＨＤＤ装置(52)に記録する動作が繰り返されるので、監視エリア内で何らかの異常事態が発生したときに、内蔵型ＨＤＤ装置(52)に記録されている映像データを再生すれば、そのときの監視エリアの状況を確認することが出来る。
【０００５】
一方、動きが検出されたときにのみ画像を記録するセキュリティ映像記録装置や、監視イベントが検出されたときにのみ画像を記憶する画像記憶装置が提案されている(特許文献１及び２参照)。
【特許文献１】特開２０００−１１５７６１号公報[H04N 7/18]
【特許文献２】特開２０００−２２４５４２号公報[H04N 5/915]
【発明の開示】
【発明が解決しようとする課題】
【０００６】
しかしながら、従来の監視システムにおいては、別体のハードディスクデジタルレコーダ(５)及び監視カメラ(６)がケーブルによって接続されるため、システム全体が大型となって、広い設置スペースが必要となる問題があった。特に、設置スペースが制限される自動車に搭載する場合に、かかる問題は顕著となっていた。
又、システムを構築する際に、ハードディスクデジタルレコーダ(５)と監視カメラ(６)とをケーブルによって接続する作業を行なわねばならず、この作業が面倒である問題があった。
【０００７】
又、監視エリア内で何らかの異常事態が発生した場合に、そのときの映像データを証拠資料として提出することが求められることがあるが、従来のハードディスクデジタルレコーダ(５)においては、内蔵型ＨＤＤ装置(52)をレコーダ本体から容易に取り外すことが出来ないため、レコーダ本体、或いは該映像データをコピーした他の外部記録装置を提出することとしており、後述の問題があった。
即ち、レコーダ本体を提出する場合には、監視カメラ(６)やモニター装置(２)など、接続されている機器を取り外す作業を行なわねばならず、この作業が面倒であると共に、この作業に時間がかかる問題があった。
一方、他の外部記録装置を提出する場合には、外部記録装置を接続する作業を行なわねばならず、この作業が面倒であると共に、この作業やコピー処理に時間がかかる問題があった。
そこで本発明の目的は、従来よりも狭いスペースに設置することが出来ると共に、カメラをケーブルによって接続する作業を行なうことなく監視システムを構築することが出来、然も、映像データの提出が求められた際、面倒な作業やコピー処理を行なうことなく該映像データを提出することが可能な監視映像記録装置を提供することである。
【課題を解決するための手段】
【０００８】
本発明に係る監視映像記録装置は、監視エリアの映像を記録するものであって、
装置本体に配備された撮影装置と、
記録媒体、或いは記録媒体を内蔵する外部記録装置の脱着が可能なインターフェースと、
撮影装置によって撮影された映像を、前記インターフェースに取り付けられた記録媒体、或いは前記インターフェースに取り付けられた外部記録装置が内蔵する記録媒体に記録する情報処理回路
とを具えている。
【０００９】
本発明に係る監視映像記録装置においては、記録動作の開始に先立って、記録媒体、或いは記録媒体を内蔵する外部記録装置がインターフェースに取り付けられる。その後、撮影装置によって撮影された映像を記録媒体に記録する動作が開始される。
本発明に係る監視映像記録装置においては、装置本体に撮影装置が配備されているので、別体のハードディスクデジタルレコーダ及び監視カメラをケーブルにより互いに接続して構成される従来の監視システムに比べて装置全体が小型となる。又、カメラをケーブルによって接続する従来の面倒な作業を行なうことなく監視システムを構築することが出来る。
【００１０】
又、記録媒体或いは記録媒体を内蔵する外部記録装置の脱着が可能となっているので、映像データの提出が求められた際には、記録媒体或いは外部記録装置をインターフェースから取り外して提出すればよく、装置本体に接続されている機器を取り外す作業や外部記録装置を接続する作業などの面倒な作業は不要である。又、映像データのコピー処理も不要である。
又、自動車に搭載されている場合には、モニター装置に映像を表示することによって異常事態発生時における車内の状況を確認する際、記録媒体或いは外部記録装置をインターフェースから取り外して、モニター装置が設置されている場所へ持って行けばよく、装置本体をモニター装置が設置されている場所へ運ぶ作業やモニター装置を車内へ運ぶ作業は不要である。
更に又、映像が記録された記録媒体或いは外部記録装置を提出している間、他の記録媒体或いは他の外部記録装置をインターフェースに取り付けておけば、この間に撮影装置によって撮影された映像を他の記録媒体或いは他の外部記録装置に記録することが出来る。
【００１１】
具体的には、撮影装置の撮影方向を変化させる際に操作すべき情報入力装置を接続することが可能であって、撮影装置は、撮影装置本体の撮影方向を変化させる駆動回路を具え、前記情報処理回路は、接続された情報入力装置に対するユーザ操作に応じて、前記駆動回路の動作を制御する。
【００１２】
上記具体的構成においては、情報入力装置に対し操作を行なうことにより撮影装置の撮影方向を変化させることによって、監視エリア内の所望の位置の映像を記録媒体に記録することが出来る。
【００１３】
又、具体的構成においては、前記情報処理回路は、監視エリア内で異常事態が発生したか否かを判断し、異常事態が発生したと判断したときに限って、撮影装置によって撮影された映像を前記記録媒体に記録する。
【００１４】
上記具体的構成においては、異常事態発生時の映像のみが記録媒体に記録されるので、記録媒体の記録容量の有効利用を図ることが出来る。
【００１５】
又、他の具体的構成においては、前記情報処理回路は、撮影装置によって撮影された最新の映像を前記記録媒体に記録する動作を繰り返す。従って、監視エリア内で異常事態が発生したときに、記録媒体に記録されている映像をモニター装置に表示させれば、異常事態発生時における監視エリアの状況を確認することが出来る。
【００１６】
更に具体的には、前記記録媒体には、撮影装置によって撮影された最新の映像を記録するための第１記録領域と、監視エリア内で異常事態が発生したときに撮影装置によって撮影された映像を記録するための第２記録領域とが設けられており、前記情報処理回路は、
撮影装置によって撮影された最新の映像を第１記録領域に記録する動作を繰り返す手段と、
監視エリア内で異常事態が発生したか否かを判断する手段と、
異常事態が発生したと判断されたときに、撮影装置によって撮影された映像を第２記録領域に記録する手段
とを具えている。
【００１７】
上記具体的構成においては、撮影装置によって撮影された最新の映像は記録媒体の第１記録領域に記録される一方、監視エリア内で異常事態が発生したときに撮影装置によって撮影された映像は記録媒体の第２記録領域に記録される。従って、異常事態発生時の映像を前記記録媒体から他の記録媒体へコピーする必要が生じた場合には、記録媒体の第２記録領域に記録されている映像をコピーすればよく、異常事態発生時の映像を検索する作業は不要である。
【００１８】
更に又、具体的には、第２の記録媒体を内蔵しており、前記情報処理回路は、撮影装置によって撮影された最新の映像を第２記録媒体に記録する動作を繰り返す。従って、監視エリア内で異常事態が発生したときに、第２記録媒体に記録されている映像をモニター装置に表示させれば、異常事態発生時における監視エリアの状況を確認することが出来る。
【発明の効果】
【００１９】
本発明に係る監視映像記録装置によれば、装置全体が小型化されるので従来よりも狭いスペースに設置することが出来ると共に、カメラをケーブルによって接続する作業を行なうことなく監視システムを構築することが出来、然も、映像データの提出が求められた際、面倒な作業やコピー処理を行なうことなく該映像データを提出することが出来る。
【発明を実施するための最良の形態】
【００２０】
本発明をハードディスクデジタルレコーダに実施した形態につき、図面に沿って具体的に説明する。
図１は、本発明に係るハードディスクデジタルレコーダ(１)を用いて構築した監視システムを表わしており、該監視システムは、ハードディスクデジタルレコーダ(１)に、後述のカメラによって撮影された映像を表示するためのモニター装置(２)と、監視エリア内で異常事態が発生したときに押下すべき異常検出スイッチ(３)と、カメラの撮影方向を変化させる際に操作すべきカメラコントロールユニット(４)とを接続して構成されている。
【００２１】
ハードディスクデジタルレコーダ(１)は、映像信号処理回路(12)と、映像信号処理回路(12)の動作を制御するＣＰＵ(13)とを具えており、上述のモニター装置(２)は映像信号処理回路(12)に接続される一方、上述の異常検出スイッチ(３)はＣＰＵ(13)に接続されている。ＣＰＵ(13)では、異常検出スイッチ(３)からの検出信号の入力の有無に基づいて、監視エリア内で異常事態が発生したか否かが判断される。
又、本発明に係るハードディスクデジタルレコーダ(１)は、レコーダ本体に配備されたカメラ(11)を具えている。該カメラ(11)は、カメラ本体の撮影方向を変化させる駆動回路(図示省略)を内蔵しており、該駆動回路は前記ＣＰＵ(13)に接続されている。又、ＣＰＵ(13)には、上述のカメラコントロールユニット(４)が接続されており、ＣＰＵ(13)は、カメラコントロールユニット(４)からの入力信号に基づいて、カメラ(11)の駆動回路の動作を制御する。
【００２２】
更に、本発明に係るハードディスクデジタルレコーダ(１)は、“ｉＶＤＲ”と称される規格に準拠したリムーバブルＨＤＤ装置(14)のインターフェース(10)を具えている。リムーバブルＨＤＤ装置(14)は、インターフェース(10)に取り付けられた状態で上述のＣＰＵ(13)に接続され、ＣＰＵ(13)によってその動作が制御される。
リムーバブルＨＤＤ装置(14)に内蔵されたＨＤには、図２に示す如く通常記録領域(14a)とアラーム記録領域(14b)とが設けられており、通常記録領域(14a)には、カメラ(11)の撮影動作によって得られた最新の映像データが記録される一方、アラーム記録領域(14b)には、監視エリア内で異常事態が発生したときにカメラ(11)の撮影動作によって得られた映像データが記録される。
【００２３】
上記監視システムにおいては、監視動作の開始に先立って、図１に示すハードディスクデジタルレコーダ(１)のインターフェース(10)にリムーバブルＨＤＤ装置(14)が取り付けられる。
カメラ(11)から得られた撮影信号は、映像信号処理回路(12)に供給されて、モニター表示に必要な信号処理が施され、これによって得られた映像信号はモニター装置(２)に供給される。この結果、カメラ(11)によって撮影された映像がリアルタイムでモニター装置(２)に表示されることになる。
【００２４】
又、映像信号処理回路(12)では、上述の如くカメラ(11)から供給された撮影信号に対してＨＤへの記録に必要な信号処理が施され、これによって得られたデジタル映像データは、リムーバブルＨＤＤ装置(14)に供給されて、図２に示す通常記録領域(14a)に記録される。このとき、通常記録領域(14a)が満杯である場合には、最も古い映像データが消去されて、新しい映像データが記録される。この様にして、カメラ(11)の撮影動作によって得られる最新の映像データをリムーバブルＨＤＤ装置(14)の通常記録領域(14a)に記録する動作が繰り返される。
【００２５】
監視エリア内で異常事態が発生して異常検出スイッチ(３)が押下された場合には、上述の如く映像信号処理回路(12)からリムーバブルＨＤＤ装置(14)に供給された映像データは、図２に示すアラーム記録領域(14b)に記録される。この様にして、異常事態が発生したとき、その前後の一定時間分の映像データがリムーバブルＨＤＤ装置(14)のアラーム記録領域(14b)に記録される。
【００２６】
図３は、上記ハードディスクデジタルレコーダ(１)において実行される映像データ記録手続きを表わしている。
ユーザにより記録開始操作が行なわれると、先ずステップＳ１では、カメラ(11)の撮影動作によって得られた映像データをリムーバブルＨＤＤ装置(14)の通常記録領域(14a)に記録する動作を開始した後、ステップＳ２では、異常事態が発生したか否かを判断し、ノーと判断された場合には、ステップＳ２にて同じ判断を繰り返す。これによって、通常記録領域(14a)に対する上述の記録動作が継続されることになる。
その後、異常事態が発生してステップＳ２にてイエスと判断された場合には、ステップＳ３に移行して、通常記録領域(14a)に対する上述の記録動作を停止し、続いてステップＳ４では、映像データをアラーム記録領域(14b)に記録する。その後、ステップＳ１に戻って、通常記録領域(14a)に対する上述の記録動作を再開する。
【００２７】
本発明に係るハードディスクデジタルレコーダ(１)においては、図１に示す如くレコーダ本体にカメラ(11)が配備されているので、別体のハードディスクデジタルレコーダ及び監視カメラをケーブルにより互いに接続して構成される従来の監視システムに比べてレコーダ全体が小型となり、従来よりも狭いスペースに設置することが出来る。又、監視システムを構築する際、ハードディスクデジタルレコーダと監視カメラとをケーブルによって接続する従来の面倒な作業は不要である。
又、映像データの提出が求められた際には、リムーバブルＨＤＤ装置(14)をインターフェース(10)から取り外して提出すればよく、従来の面倒な作業や映像データのコピー処理は不要である。
更に、異常事態発生時の映像データが記録されたリムーバブルＨＤＤ装置(14)を提出している間、他のリムーバブルＨＤＤ装置をインターフェース(10)に取り付けておけば、監視エリアの映像の記録を行なうことが出来る。
更に又、異常事態発生時の映像データをリムーバブルＨＤＤ装置(14)から他の記録媒体へコピーする必要が生じた場合には、該ＨＤＤ装置(14)のアラーム記録領域(14b)に記録されている映像データをコピーすればよく、異常事態発生時の映像データを検索する作業は不要である。
【００２８】
尚、本発明の各部構成は上記実施の形態に限らず、特許請求の範囲に記載の技術的範囲内で種々の変形が可能である。
例えば、上記実施の形態においては、最新の映像データ及び異常事態発生時の映像データをリムーバブルＨＤＤ装置(14)に記録する構成を採用しているが、最新の映像データのみを記録する構成や異常事態発生時の映像データのみを記録する構成を採用することも可能である。
又、リムーバブルＨＤＤ装置(14)のインターフェース(10)に加えて、内蔵型のＨＤＤ装置をレコーダ本体に配備することも可能である。内蔵型ＨＤＤ装置には、例えば最新の映像データが記録される。
又、リムーバブルＨＤＤ装置(14)のインターフェース(10)に代えて、ＨＤ以外の他の記録媒体を内蔵する他のリムーバブル外部記録装置のインターフェースを採用することが可能である。
更に、リムーバブルＨＤＤ装置(14)のインターフェース(10)に代えて、ＣＤドライブ装置やＭＤドライブ装置など、記録媒体の脱着が可能な周知の外部記録装置をレコーダ本体に配備することも可能である。
更に又、異常検出スイッチ(３)に代えて、扉の開閉を検出するセンサーや人の存在の有無を検出するセンサーなど、その他の周知のセンサーを採用することが可能である。
【図面の簡単な説明】
【００２９】
【図１】本発明に係るハードディスクデジタルレコーダを用いて構築した監視システムの構成を表わすブロック図である。
【図２】リムーバブルＨＤＤ装置に内蔵されたＨＤの記録フォーマットを表わす図である。
【図３】上記ハードディスクデジタルレコーダにおいて実行される映像データ記録手続きを表わすフローチャートである。
【図４】従来の監視システムの構成を表わすブロック図である。
【符号の説明】
【００３０】
(１)  ハードディスクデジタルレコーダ
(２)  モニター装置
(３)  異常検出スイッチ
(４)  カメラコントロールユニット
(10)  インターフェース
(11)  カメラ
(12)  映像信号処理回路
(13)  ＣＰＵ
(14)  リムーバブルＨＤＤ装置
【図１】
2005086404.tif 000003
【図２】
2005086404.tif 000004
【図３】
2005086404.tif 000005
【図４】
2005086404.tif 000006